(57)【要約】【課題】消費電力を低減した、表示装置の駆動回路を実現する。【解決手段】一括プリチャージ型の表示装置のソースドライバは、ソースバスラインごとに供給制御回路Ｃを有している。供給制御回路Ｃには、ソースバスラインを予備充電するためのプリチャージ制御信号Ｐと、画素へ書込むべきデータをソースバスラインへ書込むためのサンプリング制御信号Ｓｐとが入力され、スイッチＥ６はプリチャージ制御信号Ｐとサンプリング制御信号Ｓｐとに応じてオンとなる。スイッチＥ１２は、サンプリング制御信号Ｓｐに応じてオンとなる。サンプリングの際にはスイッチＥ６・Ｅ１２を共にオンにして書込みを早くし、プリチャージの際にはスイッチＥ１２を動作させないので消費電力を低減できる。【選択図】図１
2005099740.tif 000002
【特許請求の範囲】
【請求項１】
表示装置の画素に接続されるソースバスラインへ電圧を供給する供給制御回路を、上記ソースバスラインごとに備えた表示装置の駆動回路において、
上記供給制御回路が、上記画素のデータを上記ソースバスラインへ書込むためのサンプリング制御信号に応じて上記ソースバスラインへ電圧を供給するサンプリング回路部と、
上記サンプリング制御信号に応じて上記ソースバスラインへ電圧を供給し、かつ上記ソースバスラインを予備充電するためのプリチャージ制御信号に応じて上記ソースバスラインへ電圧を供給するプリチャージ回路部とを備えていることを特徴とする表示装置の駆動回路。
【請求項２】
上記サンプリング回路部が、上記ソースバスラインへの上記電圧の供給をオンオフさせる、上記サンプリング制御信号に応じてオンオフする第１スイッチを有し、
上記プリチャージ回路部が、上記ソースバスラインへの上記電圧の供給をオンオフさせる、上記サンプリング制御信号に応じてオンオフするとともに上記プリチャージ制御信号に応じてオンオフする、第１スイッチとは異なる第２スイッチを有することを特徴とする請求項１に記載の表示装置の駆動回路。
【請求項３】
上記サンプリング回路部と上記プリチャージ回路部とが互いに並列に接続され、
上記サンプリング制御信号に応じ上記ソースバスラインには、上記サンプリング回路部からの上記電圧と上記プリチャージ回路部からの上記電圧とが同時に供給されることを特徴とする請求項１に記載の表示装置の駆動回路。
【請求項４】
上記ソースバスラインごとの上記供給制御回路に入力される上記プリチャージ制御信号が、複数の上記供給制御回路について同じである一方、
上記供給制御回路に入力される上記サンプリング制御信号が、少なくとも一つ以上で上記複数よりも少ない数の上記供給制御回路を含むブロックごとに異なっていることを特徴とする請求項１に記載の表示装置の駆動回路。
【請求項５】
上記プリチャージ回路部を介した上記ソースバスラインへの電流供給能力が、上記サンプリング回路部を介した上記ソースバスラインへの電流供給能力よりも小さいことを特徴とする請求項１に記載の表示装置の駆動回路。
【請求項６】
上記プリチャージ回路部が、複数のプリチャージ回路を並列に接続したものであり、
上記プリチャージ回路部には、ソースバスラインへの電流供給能力を調整するために複数種類のプリチャージ制御信号が入力され、
上記複数のプリチャージ回路は、入力されたプリチャージ制御信号に応じてそのソースバスラインへの電流供給能力が調整されるようになっていることを特徴とする請求項１記載の表示装置の駆動回路。
【請求項７】
表示装置の１水平ライン上の各画素に対応する表示データが同一である場合、ソースバスラインへ、上記サンプリング回路部を用いて上記電圧を供給することなく上記プリチャージ回路部を用いて上記電圧を供給することで、上記１水平ライン上の各画素の表示を行うことを特徴とする請求項１記載の表示装置の駆動回路。
【請求項８】
表示装置の１水平ライン上の各画素に対応する表示データが、ＲＧＢ毎で同一あるいはソースバスライン駆動回路に供給される複数の映像信号本数毎で同一である場合、ソースバスラインへ、上記サンプリング回路部を用いて上記電圧を供給することなく上記プリチャージ回路部を用いて上記電圧を供給することで、上記１水平ライン上の各画素の表示を行うことを特徴とする請求項１記載の表示装置の駆動回路。
【請求項９】
サンプリング回路部を用いることなくプリチャージ回路部を用いて表示が行われる画素の領域が、表示装置の画面の１ブロックあるいは複数のブロックであることを特徴とする請求項７または８記載の表示装置の駆動回路。
【請求項１０】
請求項７または８記載の前記表示データが、黒表示データまたは白表示データであることを特徴とする請求項７〜９のいずれか１項に記載の表示装置の駆動回路。
【請求項１１】
請求項７または８記載の前記表示データが、赤単色表示データ、青単色表示データ、緑単色表示データ、あるいは、赤補色表示データ、青補色表示データ、緑補色表示データのいずれかであることを特徴とする請求項７〜９のいずれか１項に記載の表示装置の駆動回路。
【請求項１２】
請求項７または８記載の前記表示データが、中間調表示データであることを特徴とする請求項１０または１１に記載の表示装置の駆動回路。
【請求項１３】
請求項１〜１２のいずれか１項に記載の表示装置の駆動回路を備えていることを特徴とする表示装置。
【請求項１４】
表示装置の画素に接続されるソースバスラインへの電圧の供給のオンオフを、上記ソースバスラインごとに設けられたスイッチ回路に制御信号を入力することによって制御する表示装置の駆動方法において、
複数のスイッチ回路に一括して上記制御信号を入力し、予備充電するための上記電圧を上記ソースバスラインに供給するプリチャージステップと、
少なくとも一つ以上で上記複数よりも少ないスイッチ回路ごとに上記制御信号を入力し、上記ソースバスラインを介して上記画素に電圧を供給する書込みステップとを含んでおり、
上記スイッチ回路に含まれる複数のスイッチのうち、上記制御信号に応じてオンオフするスイッチを、上記プリチャージステップと上記書込みステップとにおいて、少なくとも一つ以上異ならせることを特徴とする表示装置の駆動方法。
【発明の詳細な説明】
【技術分野】
【０００１】
本発明は、点順次駆動方式の表示装置の駆動回路およびそれを用いた表示装置、表示装置の駆動方法に関するものである。
【背景技術】
【０００２】
アクティブマトリクス型の液晶表示装置にて用いられる駆動方式の一つに、線順次駆動方式が知られている。これは、一つのゲートバスラインがオンになっている期間において、表示パネル上の複数の画素にそれぞれ接続されたソースバスラインに、一括して駆動信号を書込む駆動方式である。
【０００３】
一方、これとは異なる点順次駆動方式として、少なくとも一つ以上のソースバスラインからなるブロックごとに、順次、所定の期間のみ映像信号に応じた駆動電圧を書込む駆動方式も知られている。ここで、分割するブロックは、一本のソースバスラインのみを含んでいてもよいし、または例えばＲＧＢ(Red,Green,Blue)の三本のような、複数のソースバスラインを含んでいてもよい。
【０００４】
ここで、点順次駆動方式を用いる場合には、一括して駆動信号を書込む必要がないので、線順次駆動方式のように信号を一旦保持するためのバッファ回路を設ける必要がない。このため、点順次駆動方式は、例えばバッファ回路を作成し難いと考えられている、ＬＰＳ(Low-temperature poly-Silicon)のようなシリコンを用いて作成された表示パネルにおいて、駆動方式として採用されている。
【０００５】
点順次駆動方式においては、画素への書込みを行うことのできる時間が線順次駆動方式に比べて短くなる。これは、上述のように、水平一ライン分の選択期間をブロックの数で割った期間以下の期間しか、書込みに用いることができないためである。
【０００６】
また、液晶表示装置においては、フリッカーを軽減するために、例えばライン反転駆動方式のような反転駆動が用いられる。この場合には、一つのソースバスラインは、１水平期間毎に、異なる極性の書込みを受けることになるため、書込みに時間を要することになる。
【０００７】
このため、点順次駆動方式には、ソースバスラインに対して予備充電を行うプリチャージ方式が併用されることが多い。例えば、プリチャージ方式のうちの一括プリチャージ方式は、全てのゲートバスラインがオフになっている水平帰線期間に、各ソースバスラインに一括してプリチャージ電圧を供給する。これによって、短い時間でも実際の信号電圧の書込みが可能となる。
【０００８】
ここで、点順次駆動方式を用いる従来の表示装置のソースドライバには、図６に示すような供給制御回路が、ソースバスラインごとに備えられている。この供給制御回路には、帰線期間にのみオンとなるプリチャージ制御信号と、画素へ書き込むべきデータのソースバスラインへの書込み期間(サンプリング期間)にのみオンとなるサンプリング制御信号とが入力される。
【０００９】
図６に示す供給制御回路の構成によれば、プリチャージ制御信号とサンプリング制御信号とのいずれかがオンになる期間に、スイッチＥ２５がオンになって、ビデオ信号がソースバスラインに供給される。このように、プリチャージする期間にはプリチャージ制御信号をオンにするとともに、ビデオ信号としてプリチャージ電圧を供給する。また、画素への書込みを行う際にはサンプリング制御信号をオンにするとともに、ビデオ信号の書込みを行う。
【００１０】
このような供給制御回路を備えた表示装置、駆動回路の構成が、日本国の公開特許公報「特開平１０−１０５１２６号公報（公開日：１９９８年４月２４日）」、「特開平１１−１７５０４１号公報（公開日：１９９９年７月２日）」にそれぞれ開示されている。
【００１１】
なお、日本国の公開特許公報「特開２０００−２０６４９１号公報（公開日：２０００年７月２８日）」には、一括プリチャージ方式ではないが、一つのバスラインごとにビデオ信号用のスイッチとプリチャージ制御信号用のスイッチとの二つのスイッチを設けた構成が開示されている。
【特許文献１】特開平１０−１０５１２６号公報（公開日：１９９８年４月２４日）
【特許文献２】特開平１１−１７５０４１号公報（公開日：１９９９年７月２日）
【特許文献３】特開２０００−２０６４９１号公報（公開日：２０００年７月２８日）
【発明の開示】
【発明が解決しようとする課題】
【００１２】
しかしながら、図６に示す従来の構成では、プリチャージの際にサンプリングと同じように周辺回路を含め回路動作が行われるため、消費電力を無駄に浪費するという問題を生ずる。
【００１３】
すなわち、点順次駆動の一括プリチャージ方式を用いる場合には、プリチャージの書込み時間とサンプリングの書込み時間とが大きく異なることになる。このため、従来の構成のように、書込み時間が異なるにもかかわらず同じように回路動作を行うと、プリチャージの際に余分に電流が流れて、消費電力を無駄に浪費することになる。
【００１４】
本発明は、上記の問題点に鑑みてなされたものであり、その目的は、点順次駆動における消費電力を低減した表示装置の駆動回路、表示装置および表示装置の駆動方法を提供することにある。
【課題を解決するための手段】
【００１５】
本発明に係る表示装置の駆動回路は、上記課題を解決するために、表示装置の画素に接続されるソースバスラインへ電圧を供給する供給制御回路を、上記ソースバスラインごとに備えた表示装置の駆動回路において、上記供給制御回路が、上記画素のデータを上記バスラインへ書込むためのサンプリング制御信号に応じて上記ソースバスラインへ電圧を供給するサンプリング回路部と、上記サンプリング制御信号に応じて上記ソースバスラインへ電圧を供給し、かつ上記ソースバスラインを予備充電するためのプリチャージ制御信号に応じて上記ソースバスラインへ電圧を供給するプリチャージ回路部とを備えていることを特徴としている。
【００１６】
本発明に係る表示装置の駆動回路は、上記課題を解決するために、上記構成において、上記サンプリング回路部が、上記ソースバスラインへの上記電圧の供給をオンオフさせる、上記サンプリング制御信号に応じてオンオフする第１スイッチを有し、上記プリチャージ回路部が、上記ソースバスラインへの上記電圧の供給をオンオフさせる、上記サンプリング制御信号に応じてオンオフするとともに上記プリチャージ制御信号に応じてオンオフする、第１スイッチとは異なる第２スイッチを有することを特徴としている。
【００１７】
本発明に係る表示装置の駆動回路は、上記課題を解決するために、上記構成において、上記サンプリング回路部と上記プリチャージ回路部とが互いに並列に接続され、上記サンプリング制御信号に応じ上記ソースバスラインには、上記サンプリング回路部からの上記電圧と上記プリチャージ回路部からの上記電圧とが同時に供給されることを特徴としている。
【００１８】
本発明に係る表示装置の駆動回路は、上記課題を解決するために、上記構成において、上記ソースバスラインごとの上記供給制御回路に入力される上記プリチャージ制御信号が、複数の上記供給制御回路について同じである一方、上記供給制御回路に入力される上記サンプリング制御信号が、少なくとも一つ以上で上記複数よりも少ない数の上記供給制御回路を含むブロックごとに異なっていることを特徴としている。
【００１９】
本発明に係る表示装置の駆動回路は、上記課題を解決するために、上記構成において、上記プリチャージ回路部を介した上記ソースバスラインへの電流供給能力が、上記サンプリング回路部を介した上記ソースバスラインへの電流供給能力よりも小さいことを特徴としている。
【００２０】
本発明に係る表示装置の駆動回路は、上記課題を解決するために、上記構成において、上記プリチャージ回路部が、複数のプリチャージ回路を並列に接続したものであり、上記プリチャージ回路部には、ソースバスラインへの電流供給能力を調整するために複数種類のプリチャージ制御信号が入力され、上記複数のプリチャージ回路は、入力されたプリチャージ制御信号に応じてそのソースバスラインへの電流供給能力が調整されるようになっていることを特徴としている。
【００２１】
本発明に係る表示装置の駆動回路は、上記課題を解決するために、上記構成において、表示装置の１水平ライン上の各画素に対応する表示データが同一である場合、ソースバスラインへ、上記サンプリング回路部を用いて上記電圧を供給することなく上記プリチャージ回路部を用いて上記電圧を供給することで、上記１水平ライン上の各画素の表示を行うことを特徴としている。
【００２２】
本発明に係る表示装置の駆動回路は、上記課題を解決するために、上記構成において表示装置の１水平ライン上の各画素に対応する表示データが、ＲＧＢ毎で同一あるいはソースバスライン駆動回路に供給される複数の映像信号毎で同一である場合、ソースバスラインへ上記サンプリング回路部を用いて上記電圧を供給することなく、上記プリチャージ回路部を用いて上記電圧を供給することで、上記１水平ライン上の各画素の表示を行うことを特徴としている。
【００２３】
本発明に係る表示装置の駆動回路は、上記課題を解決するために、サンプリング回路部を用いることなくプリチャージ回路部を用いて表示が行われる画素の領域が、表示装置の画面の１ブロックあるいは複数のブロックであることを特徴としている。
【００２４】
本発明に係る表示装置の駆動回路は、上記課題を解決するために、上記記載の表示データが、黒表示データまたは白表示データであることを特徴としている。
【００２５】
本発明に係る表示装置の駆動回路は、上記課題を解決するために、上記記載の表示データが、赤単色表示データ、青単色表示データ、緑単色表示データ、赤補色表示データ、青補色表示データ、緑補色表示データのいずれかであることを特徴としている。
【００２６】
本発明に係る表示装置の駆動回路は、上記課題を解決するために、上記記載の表示データが、中間調表示データであることを特徴としている。
【００２７】
本発明に係る表示装置は、上記課題を解決するために、上述のいずれかの表示装置の駆
動回路を備えていることを特徴としている。
【００２８】
本発明に係る表示装置の駆動方法は、上記課題を解決するために、表示装置の画素に接続されるソースバスラインへの電圧の供給のオンオフを、上記ソースバスラインごとに設けられたスイッチ回路に制御信号を入力することによって制御する表示装置の駆動方法において、複数のスイッチ回路に一括して上記制御信号を入力し、予備充電するための上記電圧を上記ソースバスラインに供給するプリチャージステップと、少なくとも一つ以上で上記複数よりも少ないスイッチ回路ごとに上記制御信号を入力し、上記ソースバスラインを介して上記画素に電圧を供給する書込みステップとを含んでおり、上記スイッチ回路に含まれる複数のスイッチのうち、上記制御信号に応じてオンオフするスイッチを、上記プリチャージステップと上記書込みステップとにおいて、少なくとも一つ以上異ならせることを特徴としている。
【発明の効果】
【００２９】
本発明に係る表示装置の駆動回路は、供給制御回路が、画素のデータをソースバスラインに書込むためのサンプリング制御信号に応じてソースバスラインへ電圧を供給するサンプリング回路部と、上記サンプリング制御信号に応じて上記ソースバスラインへ電圧を供給し、かつ上記ソースバスラインを予備充電するためのプリチャージ制御信号に応じて上記ソースバスラインへ電圧を供給するプリチャージ回路部とを備えている構成である。
【００３０】
表示装置の駆動回路は、供給制御回路をソースバスラインごとに備えている。供給制御回路は、表示装置の画素に接続されるソースバスラインへ電圧を供給する。表示装置の例えばゲートドライバによって、一つのゲートバスラインがオンされて、画素が書込み可能となる。そこで、駆動回路の供給制御回路が、各ソースバスラインに電圧を供給して、画素に書込みを行う。各ゲートバスラインを順次書込み可能とし、その間に各画素を書込みすることによって、表示装置全体にわたって映像が表示される。
【００３１】
供給制御回路は、例えば入力される制御信号に応じて所定のスイッチをオンオフすることによって、ソースバスラインに供給する電圧のオンオフを制御する。例えば制御信号がハイの期間にスイッチをオンして電圧を供給し、ローの期間にはスイッチをオフにする。制御信号に応じた電圧の供給は、スイッチのオンオフに応じたものに限らず、他の構成を用いてもよいことはもちろんである。
【００３２】
上記構成の供給制御回路に対して、制御信号として、サンプリング制御信号とプリチャージ制御信号とが入力される。サンプリング制御信号は、画素のデータをソースバスラインに書込むための制御信号である。プリチャージ制御信号は、ソースバスラインを予備充電するための制御信号である。サンプリング制御信号とプリチャージ制御信号とは、互いに異なる制御信号である。
【００３３】
また、供給制御回路は、サンプリング回路部とプリチャージ回路部とを備えている。サンプリング回路部は、サンプリング制御信号に応じて例えばオンオフして、電圧の供給をする。プリチャージ回路部は、サンプリング制御信号とプリチャージ制御信号とに応じて例えばオンオフし、電圧の供給をする。すなわち、サンプリング制御信号によってサンプリング回路部とプリチャージ回路部とが電圧の供給をし、プリチャージ制御信号によってプリチャージ回路部が電圧の供給をする。
【００３４】
このため、プリチャージ制御信号によるプリチャージの際には、プリチャージ回路部のみを動作させ、サンプリング回路部を動作させないので、サンプリング回路部を動作させる分の消費電力を低減できる。
【００３５】
また、例えば、サンプリング制御信号によるサンプリングの際には、サンプリング回路部とプリチャージ回路部とが動作するが、この場合の電流供給能力を、従来の供給制御回路と同様の電流供給能力とすれば、サンプリングの際の消費電力を上げることもない。
【００３６】
よって、上記駆動回路を用いて、表示装置における消費電力を全体的に削減することができる。
【００３７】
なお、上述の表示装置の駆動回路を、プリチャージ制御スイッチの制御は、プリチャージ制御信号とサンプリング制御信号のＯＲ信号で、サンプリング制御スイッチの制御は、サンプリング制御信号で行われおり、プリチャージは、プリチャージ制御スイッチのみ、サンプリングは、プリチャージ制御スイッチ及びサンプリング制御スイッチの両方を開く構成である、と表現することもできる。
【００３８】
また、本発明に係る表示装置の駆動回路は、上記構成に加えて、上記サンプリング回路部が、上記ソースバスラインへの上記電圧の供給をオンオフさせる、上記サンプリング制御信号に応じてオンオフする第１スイッチを有し、上記プリチャージ回路部が、上記ソースバスラインへの上記電圧の供給をオンオフさせる、上記サンプリング制御信号に応じてオンオフするとともに上記プリチャージ制御信号に応じてオンオフする、第１スイッチとは異なる第２スイッチを有する構成である。
【００３９】
このように、供給制御回路がスイッチを用いて電圧の供給を制御する構成であってもよい。上記構成によれば、サンプリング回路部とプリチャージ回路部とは、それぞれ一つのスイッチのみを含んでおり、スイッチ個数が少ないので、回路規模を小さくできる。
【００４０】
また、本発明に係る表示装置の駆動回路は、上記構成に加えて、上記サンプリング回路部と上記プリチャージ回路部とが互いに並列に接続され、上記サンプリング制御信号に応じ上記ソースバスラインには、上記サンプリング回路部からの上記電圧と上記プリチャージ回路部からの上記電圧とが同時に供給される構成である。
【００４１】
このように、上記サンプリング回路部と上記プリチャージ回路部とを並列に接続してもよい。この構成であれば、上述の駆動回路を最も簡単に実現できる。
【００４２】
ここで、各回路部における電圧供給をスイッチによってオンオフする場合には、各回路部のスイッチは互いに並列に接続されることになる。スイッチをシリコンのような半導体を含む半導体素子によって設ける場合には、スイッチの抵抗は、例えばトランジスタのチャネル幅、チャネル長に依存することになる。そこで、トランジスタのチャネル幅を用いて、各半導体素子の抵抗を調整すれば、所望の抵抗、所望の書込み能力を得るためのチャネル幅の設計が容易となる。すなわち、抵抗はチャネル幅の逆数に比例する一方で、抵抗を並列に接続した場合の合成抵抗は逆数の和の逆数に相当するので、例えば所望のチャネル幅に相当する合成抵抗を得たい場合には、チャネル幅の和が所望のチャネル幅となるように、各半導体素子のチャネル幅を設計すればよい。なお、所望の抵抗を得るための設計はこれに限るものではなく、チャネル長を用いてもよいし、または材料の変更などの他の要素を用いてもよいことはもちろんである。
【００４３】
また、本発明に係る表示装置の駆動回路は、上記構成に加えて、上記ソースバスラインごとの上記供給制御回路に入力される上記プリチャージ制御信号が、複数の上記供給制御回路について同じである一方、上記供給制御回路に入力される上記サンプリング制御信号が、少なくとも一つ以上で上記複数よりも少ない数の上記供給制御回路を含むブロックごとに異なっている構成である。
【００４４】
ここで、各ソースバスラインへのプリチャージを、ソースバスラインごとでなく、上記のように複数について一括して行うものを考える。このように一括書込みするならば、プリチャージのための書込み期間を、サンプリングのための書込み期間よりも比較的長くとることができる。
【００４５】
したがって、書込み期間の長いプリチャージにおいては、ソースバスラインへの電流供給能力を低下させ周辺回路で流れる電流を少なくすることができ、これによって確実に消費電力を低減できる。
【００４６】
また、上記構成において、プリチャージ制御信号は、各水平帰線期間にアクティブになり、サンプリング期間の前にアクティブにする信号であってもよい。このように、サンプリング期間の前に予備充電すれば、サンプリングの際の書込みを確実なものにできる。
【００４７】
また、本発明に係る表示装置の駆動回路は、上記構成に加えて、上記プリチャージ回路部を介した上記ソースバスラインへの電流供給能力が、上記サンプリング回路部を介した上記ソースバスラインへの電流供給能力よりも小さい構成である。
【００４８】
このように、プリチャージ回路部を介した電流供給能力、すなわち駆動能力を、サンプリング回路部を介した駆動能力よりも小さくしてもよい。
【００４９】
ここで、上述のように一括プリチャージを行う場合には、通常、プリチャージに比較的長い時間を取れるので、パネルサイズに関わらずゆっくり充電することができる。すなわち、プリチャージの際の電流供給能力はそれほど必要とされない。
【００５０】
そこで、上記構成のように、プリチャージ回路部で発生する電流を、サンプリング回路部で発生する電流よりも小さくすれば、プリチャージの際にはプリチャージ回路部のみを動作させてサンプリング回路部を動作させないので、消費電力を確実に低減できる。
【００５１】
なお、電流供給能力の調整は、例えばスイッチの大きさ（スイッチとしての半導体素子のチャネル幅、チャネル長）を用いて行うことができる。すなわち、上記回路にて、プリチャージ回路部のスイッチの大きさ（チャネル幅）を、サンプリング回路部のスイッチと比較して十分に小さいものとしてもよい。
【００５２】
また、本発明に係る表示装置の駆動回路は、上記構成に加えて、上記プリチャージ回路部が、複数のプリチャージ回路を並列に接続したものであり、上記プリチャージ回路部には、ソースバスラインへの電流供給能力を調整するために複数種類のプリチャージ制御信号が入力され、上記複数のプリチャージ回路は、入力されたプリチャージ制御信号に応じてそのソースバスラインへの電流供給能力が調整されるようになっている構成である。
【００５３】
上記構成によれば、並列に接続した複数のプリチャージ回路を各ソースバスライン毎に設け、複数種類のプリチャージ制御信号をプリチャージ回路に入力し、上記複数のプリチャージ回路は、入力されたプリチャージ制御信号に応じてそのソースバスラインへの電流供給能力が調整されるようになっている。それゆえ、プリチャージ制御信号の変更によってプリチャージ回路部のソースバスラインへの電流供給能力を調整することが可能となる。これにより、表示装置の駆動条件に応じてプリチャージ回路部のソースバスラインへの電流供給能力を調整して更なる低消費電力化を図ることが可能となる。
【００５４】
また、本発明に係る表示装置の駆動回路は、上記構成に加えて、表示装置の１水平ライン上の各画素に対応する表示データが同一である場合、ソースバスラインへ、上記サンプリング回路部を用いて上記電圧を供給することなく上記プリチャージ回路部を用いて上記電圧を供給することで、上記１水平ライン上の各画素の表示を行う構成である。
【００５５】
上記構成によれば、表示装置の１水平ライン上の各画素に対応する表示データが同一である場合に、サンプリング回路部を使用することなく上記プリチャージ回路部を使用して上記複数の画素へ一括して上記電圧を供給することにより、上記１水平ライン上の各画素で表示データに応じた表示を行う。また、上記プリチャージ回路部を使用してソースバスラインへの電圧供給を行うので、サンプリング回路部を使用してソースバスラインへの電圧供給を行う場合と比較して、例えば１水平期間といった長い時間にわたってソースバスラインへの電圧供給を行うことができる。その結果、ソースバスラインを十分に充電して良好な表示を得ることができる。
【００５６】
また、上記構成では、プリチャージ回路のみを使用するため、書き込みの時間がサンプリング回路を用いてソースバスラインへの通常の書き込みを行う際と比較して、長く確保でき、プリチャージ回路部のみで、十分にソースバスラインに十分充電することができる。これにより、サンプリング回路部での消費電力を削減でき、更なる低消費電力化を図ることが可能となる。
【００５７】
また、本発明に係る表示装置の駆動回路は上記構成に加えて、１水平ライン上の各画素の対応する表示データがＲＧＢ毎で同一あるいはソースバスライン駆動回路に供給される複数の映像信号毎で同一である場合、ソースバスラインへ、上記サンプリング回路を用いて上記電圧を供給することなく、上記プリチャージ回路部を用いて上記電圧を供給することで、上記１水平ライン上の各画素の表示を行う構成である。
【００５８】
上記構成によれば、表示装置の１水平ライン上の各画素に対応する表示データが、ＲＧＢ毎で同一あるいはソースバスライン駆動回路に供給される複数の映像信号毎で同一である場合に、サンプリング回路部を使用することなく上記プリチャージ回路部を使用して上記複数の画素へ一括して上記電圧を供給することにより、上記１水平ライン上の各画素で表示を行う。これにより、サンプリング回路部での消費電力を削減できると共に１水平ライン上の表示データがＲＧＢ毎あるいはソースバスライン駆動回路に供給される複数の映像信号毎で同一である場合にも適用することにより更なる低消費電力化を図る事が可能となる。
【００５９】
また、本発明に係る表示装置の駆動回路は、上記構成に加えて、サンプリング回路部を用いることなくプリチャージ回路部を用いて表示が行われる画素の領域が、表示装置の画面の１ブロックあるいは複数のブロックである。
【００６０】
上記構成によれば、サンプリング回路部を用いることなくプリチャージ回路部を用いて表示が行われる領域が表示装置の画面の１ブロックあるいは複数のブロックであるので、サンプリング回路部での消費電力をさらに削減できる。これにより、更なる低消費電力化が可能となる。
【００６１】
上記サンプリング回路部を用いることなくプリチャージ回路部を用いて表示を行う技術は、例えば、パーシャル駆動される表示装置の非表示領域や、縦横比が４：３の表示装置を使用して縦横比が１６：９の映像を表示する場合の上下黒マスク領域への適用が可能である。
【００６２】
また、本発明に係る表示装置の駆動回路は、上記構成に加えて、上記記載の表示データが、黒表示データまたは白表示データである。
【００６３】
上記構成によれば、サンプリング回路部を用いることなくプリチャージ回路部を用いて表示が行われる領域に、黒または白を表示することができる。したがって、例えば縦横比が４：３の表示装置を使用して縦横比が１６：９の映像を表示する場合の上下黒マスク領域へ適用すると共に、上記消費電力削減を行うことが可能となる。
【００６４】
また、本発明に係る表示装置の駆動回路は、上記構成に加えて、上記記載の表示データが、赤単色表示データ、青単色表示データ、緑単色表示データ、赤補色表示データ、青補色表示データ、緑補色表示データのいずれかである。
【００６５】
上記構成によれば、サンプリング回路部を用いることなくプリチャージ回路部を用いて表示が行われる領域に、赤単色、青単色、緑単色、赤補色（シアン）、青補色（イエロー）、緑補色（マゼンタ）いずれかの表示を行うことができる。したがって、表示装置の画面における一部の領域に有彩色を表示すると共に、上記消費電力削減を行うことが可能となる。
【００６６】
また、本発明に係る表示装置の駆動回路は、上記構成に加えて、上記記載の表示データが、中間調表示データである。
【００６７】
上記構成によれば、サンプリング回路部を用いることなくプリチャージ回路部を用いて表示が行われる領域に、中間調を表示することも可能である。したがって、表示装置の画面における一部の領域に中間調表示を表示すると共に、上記消費電力削減を行うことが可能となる。
【００６８】
また、本発明に係る表示装置は、上述のいずれかの表示装置の駆動回路を備えている構成である。
【００６９】
駆動回路の消費電力を低減できるので、消費電力を低減した表示装置を提供できる。
【００７０】
本発明に係る表示装置の駆動方法は、複数のスイッチ回路に一括して制御信号を入力し、予備充電するための電圧をソースバスラインに供給するプリチャージステップと、少なくとも一つ以上で上記複数よりも少ないスイッチ回路ごとに上記制御信号を入力し、上記ソースバスラインを介して上記画素に電圧を供給する書込みステップとを含んでおり、上記スイッチ回路に含まれる複数のスイッチのうち、上記制御信号に応じてオンオフするスイッチを、上記プリチャージステップと上記書込みステップとにおいて、少なくとも一つ以上異ならせる構成である。
【００７１】
上記の駆動方法を用いる表示装置においては、例えば以下のように画像を表示する。例えば、ゲートドライバが一ライン分のゲートバスラインをオンにする。そして、ソースバスライン側では、スイッチ回路に制御信号を入力することによって、各ソースバスラインへと電圧を供給し、画素への書込みを行う。ゲートドライバがゲートバスラインを順次オンして、ソースドライバから画素への書込みを行うことによって、表示装置に画像を表示する。
【００７２】
より詳細には、上記の駆動方法においては、複数のスイッチ回路に一括して制御信号を入力することによって、各ソースバスラインに対して予備充電を行う（プリチャージステップ）。そしてスイッチ回路に制御信号を入力して、画素へ書込むべきデータをソースバスラインへ書込みを行うと共に画素への書込みを行う（書込みステップ）。
【００７３】
例えば、プリチャージステップでは全てのスイッチ回路に対して制御信号を入力して全てのソースバスラインについて予備充電を行い、書込みステップでは一つのスイッチ回路ごと、またはＲＧＢの三本のソースバスラインに接続されたスイッチ回路ごと、またはそれよりも多いスイッチ回路ごとに制御信号を入力して、それぞれ画素へ書込むべきデータをソースバスラインへ書込みを行うと共に画素への書込みを行う。なお、プリチャージステップにおいては、一括プリチャージであるとしても、必ずしも全てのスイッチ回路に対して一度に制御信号を入力する必要はなく、複数個の組に分けて制御信号を入力してもよい。
【００７４】
このため、プリチャージステップと書込みステップとでは、書込み時間が異なる。すなわち、書込みステップの書込み時間よりも、プリチャージステップの書込み時間を比較的長くとることができる。したがって、この書込み時間で適切な書込みを行うための最適な書込み能力、書込みの際に流れる電流も、プリチャージステップと書込みステップとで異なるものとなる。
【００７５】
ここで、書込みの際の消費電力は、書込みの際に流れる電流に依存する。書込みの際に流れる電流は、経路に沿った抵抗に依存する。そして、少なくともスイッチの（オン）抵抗などにより、オンするスイッチが異なれば、経路に沿った抵抗がそれぞれ異なるものとなる。
【００７６】
したがって、書込み時間の違うプリチャージステップと書込みステップとで、オンするスイッチを少なくとも一つ以上異ならせるようにしてそれぞれ適切に選択することによって、それぞれの期間において流れる電流を適切なものとして、書込み、消費電力を適切なものにできる。
【発明を実施するための最良の形態】
【００７７】
〔実施の形態１〕
本発明の一実施形態について図１ないし図５に基づいて説明すると以下の通りである。
【００７８】
本実施形態の液晶表示装置（表示装置）１は、図２に示すように、表示部２、ゲートドライバ３、ソースドライバ４およびコントローラ５を備えている。
【００７９】
液晶表示装置１は、入力される映像信号に応じた画像を表示部２に表示するものである。
【００８０】
表示部２は、アクティブマトリクス型の表示部であり、複数のソースバスラインＳｂ、ソースバスラインＳｂと交差する複数のゲートバスラインＧｂ、図示しないガラス基板、およびマトリクス状に配された画素ＰＩＸを含んでいる。画素ＰＩＸは画素容量Ｃｐと画素トランジスタによって構成され、画素容量に液晶容量と補助容量によって構成される。表示部２においては、ガラス基板によって画素容量としての液晶層を挟持し、ガラス基板に形成された電極から液晶に電圧を印加して表示を行う。
【００８１】
表示部２のゲートバスラインＧｂはゲートドライバ３に接続され、ソースバスラインＳｂはソースドライバ４に接続されている。画素トランジスタは、ガラス基板の一方に設けられ、ゲートがゲートバスラインＧｂに接続され、ソースがソースバスラインＳｂに接続され、ドレインが画素容量に接続されている。画素容量には、ガラス基板の一方にてトランジスタのドレインから、またガラス基板の他方にて図示しない電源回路から、それぞれ電圧が印加される。
【００８２】
ゲートドライバ３は、所定のタイミングにて、表示部２の指定された一ライン分（一ゲートバスラインＧｂ分）の画素トランジスタをオンするものである。
【００８３】
ソースドライバ４は、コントローラ５からの制御信号に応じて、ビデオ信号を、表示部２のソースバスラインＳｂに供給する。
【００８４】
コントローラ５は、ゲートドライバ３およびソースドライバ４に制御信号を送信するためのものである。コントローラ５は、図示しない入力信号に応じて、ゲートドライバ３、ソースドライバ４への制御信号を生成し、それぞれをゲートドライバ３、ソースドライバ４へと出力する。
【００８５】
上記構成の液晶表示装置１に、外部から映像信号や表示データ等が入力されると、必要に応じて図示しないＤＡＣ(Digital Analog Converter)等の回路を介してビデオ信号がソースドライバ４に入力される。また、コントローラ５が、所定のタイミングにてゲートドライバ３とソースドライバ４とに制御信号を送信する。
【００８６】
一水平期間にわたる、ゲートバスラインＧｂの一ライン分の書込みを、以下のように行う。まず、ゲートドライバ３は、コントローラ５からの制御信号に従い、ソースドライバ４の動作にタイミングを合わせて、表示部２のゲートバスラインＧｂへとゲートパルスを出力する。これによって、表示部２における、指定された一ライン分の画素トランジスタを、所定の期間オンする。
【００８７】
一方、ソースドライバ４は、コントローラ５からの制御信号に従い、映像信号に応じた一ライン分のビデオ信号を表示部２のソースバスラインＳｂに供給する。ゲートドライバ３が各ゲートラインを順次オンし、ソースドライバ４がビデオ信号をそれぞれ出力する。これを繰り返すことによって、液晶表示装置１の表示部２に、映像信号に応じた映像が表示される。
【００８８】
ここで、上述のソースドライバ４の構成の一例について、より詳細に説明する。このソースドライバ４は、ＲＧＢ(Red,Green,Blue)の三ラインごとの点順次駆動方式を用いる駆動回路である。また、ソースドライバ４は、ライン反転駆動方式を用いる駆動回路である。また、ソースドライバ４は、一括プリチャージ方式を用いる駆動回路である。
【００８９】
ソースドライバ４は、図３に示すように、シフトレジスタＳＲ(SRn,SRn+1)および供給制御回路（スイッチ回路）Ｃ(CRn,CGn,CBn,CRn+1,CGn+1,CBn+1)を備えた構成である。なお、この図３には、簡単のために、n番目のソースバスラインＳｂ(Rn、Gn、Bnに接続されるSb)とn+1番目のソースバスラインＳｂ(Rn+1、Gn+1、Bn+1に接続されるSb)とのRGBをまとめて1ラインとした場合２ライン分の構成のみを示しているが、全ソースバスラインのＮ本が同様の形態となっている。
【００９０】
ソースドライバ４からのソースバスラインＳｂは、表示部２の画素ＰＩＸ(Rn,Gn,Bn,Rn+1,Gn+1,Bn+1)に接続されている。このソースバスラインＳｂは、表示部２に設けられている画素ＰＩＸの数に応じて設けられている。また、供給制御回路Ｃは、ソースバスラインＳｂに応じて、ソースバスラインＳｂごとに設けられている。
【００９１】
ソースドライバ４のシフトレジスタＳＲには、図示しないスタートパルス、およびクロックＣＬＫが供給される。入力されたスタートパルスがクロックＣＬＫに応じてシフトレジスタＳＲの各段に順次転送される。シフトレジスタＳＲの出力であるサンプリング制御信号Ｓｐは、供給制御回路Ｃへと出力される。より詳細には、このソースドライバ４は３点ごとの点順次駆動方式を用いており、例えばｎ段目のシフトレジスタＳＲｎからの出力は、ｎ段目の供給制御回路ＣであるCRn,CGn,CBnに供給される。
【００９２】
供給制御回路Ｃには、シフトレジスタＳＲからのサンプリング制御信号Ｓｐ、コントローラ５からのプリチャージ制御信号Ｐおよび各色ごとのビデオ信号Ｖｄ(VdR,VdG,VdB)が供給される。ここで、シフトレジスタＳＲｎからのサンプリング制御信号Ｓｐは、ｎ段目の供給制御回路ＣであるCRn,CGn,CBnに対してそれぞれ同じ信号が供給されるが、ビデオ信号はCRn,CGn,CBnに対してそれぞれ異なる信号(VdR,VdG,VdB)が供給される。また、プリチャージ制御信号Ｐは、各段の供給制御回路Ｃに共通の信号が供給される。供給制御回路Ｃは、入力される信号に応じてビデオ信号Ｖｄを各ソースバスラインＳｂに出力する。
【００９３】
このように、３点ごとの点順次駆動方式において一括プリチャージを行う場合には、プリチャージ制御信号Ｐが複数の供給制御回路Ｃについて同じである一方、サンプリング制御信号Ｓｐは三つの供給制御回路CRn,CGn,CBnを含むブロックごとに異なっている。
【００９４】
より詳細には、供給制御回路Ｃは、図１に示すように、半導体素子Ｅ１〜Ｅ１２として、ＮＯＲゲートＥ１、インバータＥ２〜Ｅ５・Ｅ７〜Ｅ１１およびスイッチＥ６・Ｅ１２を含んでいる。また、供給制御回路Ｃは、プリチャージ制御信号Ｐとサンプリング制御信号Ｓｐとを入力として、論理素子としての半導体素子Ｅ１〜Ｅ５・Ｅ７〜Ｅ１１を介して、トランスファーゲートで構成したスイッチ（第２スイッチ）Ｅ６・スイッチ（第１スイッチ）Ｅ１２をオンオフする。また、供給制御回路Ｃにはビデオ信号Ｖｄが入力され、スイッチＥ６・Ｅ１２によって、ソースバスラインＳｂへのビデオ信号の供給のオンオフが切り換わる。インバータＥ２〜Ｅ５は、スイッチＥ６のバッファ回路として機能し、インバータＥ７〜Ｅ１１はスイッチＥ１２のバッファ回路として機能する。
【００９５】
ここで、半導体素子Ｅ７〜Ｅ１２は、シフトレジスタＳＲｎからのサンプリング制御信号Ｓｐに応じてソースバスラインＳｂにビデオ信号Ｖｄを供給するサンプリング回路部１２に相当する。サンプリング制御信号ＳｐがハイのときにはスイッチＥ１２がオンして、ビデオ信号Ｖｄが出力ＳＷ２としてソースバスラインＳｂに供給される。サンプリング制御信号ＳｐがローのときにはスイッチＥ１２がオフする。
【００９６】
また、半導体素子Ｅ１〜Ｅ６は、サンプリング制御信号Ｓｐおよびプリチャージ制御信号Ｐに応じてソースバスラインＳｂにビデオ信号Ｖｄを供給するプリチャージ回路部１１に相当する。サンプリング制御信号Ｓｐまたはプリチャージ制御信号ＰのいずれかがハイのときにはスイッチＥ６がオンして、ビデオ信号Ｖｄが出力ＳＷ１としてソースバスラインＳｂに供給される。サンプリング制御信号Ｓｐおよびプリチャージ制御信号ＰがローのときにはスイッチＥ６がオフする。
【００９７】
このように、スイッチＥ６は、プリチャージ制御信号Ｐとサンプリング制御信号ＳｐのＯＲしたものでスイッチの開閉を制御されている。また、スイッチＥ１２は、サンプリング制御信号Ｓｐでスイッチの開閉を制御されている。このため、プリチャージ制御信号ＰがハイのときはスイッチＥ６のみが開き、サンプリング制御信号ＳｐがハイのときはスイッチＥ６とスイッチＥ１２との両方が開くようになっている。このように、プリチャージの際とサンプリングの際とでは、オンオフするスイッチが異なっている。また、サンプリング回路部１２とプリチャージ回路部１１とは互いに並列に接続され、サンプリング制御信号Ｓｐに応じ、ソースバスラインＳｂには、サンプリング回路部１２からの電圧とプリチャージ回路部１１からの電圧とが同時に供給される。
【００９８】
ここで、本実施形態の半導体素子Ｅ１〜Ｅ１２の一例の一部の平面図を図４に示す。この半導体素子は、チャネル領域を含む半導体層Ｋの上にソース電極Ｓ、ゲート電極Ｇ、ドレイン電極Ｄが配置されており、チャネル幅がＷ、チャネル長がＬである。
【００９９】
本実施形態の供給制御回路Ｃは、上述の各半導体素子Ｅ１〜Ｅ１２のチャネル幅Ｗを例えば以下のように設定している。すなわち、Ｅ１は5μｍ、Ｅ２は10μｍ、Ｅ３は10μｍ、Ｅ４は20μｍ、Ｅ５は20μｍ、Ｅ６は50μｍ、Ｅ７は20μｍ、Ｅ８は40μｍ、Ｅ９は40μｍ、Ｅ１０は80μｍ、Ｅ１１は80μｍ、Ｅ１２は200μｍとしている。なお、ここでは、プリチャージを行うプリチャージ期間を数μ秒〜5μ秒とし、サンプリングを行うサンプリング期間を500n秒程度であるとしたが、上記Ｗサイズは、製造プロセスや半導体素子そのものの特性、能力に依存し変化するものであり、またサンプリング期間やプリチャージ期間は、パネルサイズ、駆動条件等により変化するものであり、上記それぞれの値は、本実施形態を説明するための一例にすぎない。
【０１００】
ここで、チャネル幅Ｗを大きくすると、抵抗が小さくなり、早く充電できるため、駆動能力が大きくなる。すなわち、本実施形態においては、プリチャージ回路部１１のスイッチＥ６の方がサンプリング回路部１２のスイッチＥ１２よりもチャネル幅が小さく、抵抗が大きい。また、プリチャージ回路部１１の半導体素子Ｅ１〜Ｅ６の方が、サンプリング回路部１２の対応する半導体素子Ｅ７〜Ｅ１２よりもチャネル幅が小さく、抵抗が大きい。このように、スイッチ以外の半導体素子も、次段のゲート負荷を考慮してＷサイズを決定するため、スイッチのトランジスタのチャネル幅に対応してチャネル幅が決定される。このため、プリチャージ回路部１１で発生する電流は、サンプリング回路部１２で発生する電流よりも小さくなっている。
【０１０１】
なお、上記構成の供給制御回路Ｃは、スイッチＥ６とＥ１２とが共にオンになってサンプリングを行う際には、例えばチャネル長などの他の条件を図１の供給制御回路Ｃと同じとした図６に示す従来の供給制御回路において各半導体素子Ｅ２０〜Ｅ２５のチャネル幅をＥ２０は25μｍ、Ｅ２１は50μｍ、Ｅ２２は50μｍ、Ｅ２３は100μｍ、Ｅ２４は100μｍ、Ｅ２５は250μｍと設定したものと、ほぼ同じ電流供給能力を発揮できる。また、上記Ｅ２０〜Ｅ２５のチャネル幅Ｗのサイズも、上記と同様の、本実施形態を説明するための一例にすぎない。
【０１０２】
次に、供給制御回路Ｃに対する入出力を説明するための１水平期間にわたるタイミングチャートを図５に示す。図５において、ビデオ信号Ｖｄは簡単のため省略した。図５において、Ａで示す期間は、プリチャージ制御信号Ｐをハイにしてプリチャージを行うプリチャージ期間である。この場合、プリチャージ期間は、水平帰線期間の一部である。また、Ｂで示す期間はソースバスラインへの映像信号の書込み期間（サンプリング期間）である。このように、サンプリング期間（期間Ｂ）と比較してプリチャージ期間（期間Ａ）は十分長いため、プリチャージの際に、プリチャージ回路部１１のスイッチのチャネル幅が小さくとも、十分にソースバスラインＳｂに充電することができる。
【０１０３】
プリチャージ期間Ａにおいて、プリチャージを行うためにプリチャージ制御信号Ｐをアクティブ（ハイ）にする。ここで、プリチャージ制御信号Ｐがアクティブであるとは、プリチャージ制御信号Ｐの電位がプリチャージ回路部１１をアクティブにさせる電位、すなわち、プリチャージ回路部１１にソースバスラインＳｂへのビデオ信号Ｖｄの供給を行わせる電位（アクティブ電位）であることを意味する。この電位は、ハイでもローでもよいが、本実施形態ではハイである。プリチャージ制御信号Ｐがハイとなるため、各供給制御回路Ｃにおいて、プリチャージ回路部１１側のスイッチＥ６のみがオンになる。サンプリング回路部１２側のスイッチＥ１２はオフのままである。このように、サンプリング回路部１２側のスイッチＥ１２をオフとしているので、サンプリング回路部１２側に電流を流すことがない。したがって、プリチャージの際の消費電力を低減できる。
【０１０４】
また、シフトレジスタＳＲに対して、コントローラ５からシフトレジスタスタートパルスが入力され、また各段にクロックＣＬＫが入力される。これによって、シフトレジスタＳＲの各段ＳＲ１〜ＳＲｎから、供給制御回路Ｃに対して、それぞれサンプリング制御信号Ｓｐ（図中ＳＲ１〜ＳＲｎで示す）が出力される。書込み期間Ｂにおいて、サンプリング制御信号Ｓｐに応じて、それぞれ各段の供給制御回路のスイッチＥ６およびスイッチＥ１２がオンする。これによって、ビデオ信号ＶｄがソースバスラインＳｂに書込まれ、画素へ電位が書込まれる。
【０１０５】
このように、次の水平期間に次のゲートバスラインＧｂについて画素への書込みを行い、順次書込みを繰り返すことで液晶表示装置１の表示部２に画像を表示する。
【０１０６】
以上のように、液晶表示装置１のソースドライバ４は、プリチャージの際にはサンプリング回路部１２側のスイッチＥ１２を動作させないので、消費電力を抑えることができる。しかも、供給制御回路Ｃの半導体素子Ｅ１〜Ｅ１２のチャネル幅を上述のように適切に設定して、サンプリングの際には、従来の構成と同じ電流供給能力を実現できる。
【０１０７】
なお、上述した従来の構成においては、点順次駆動の一括プリチャージ方式を用いる場合に、プリチャージの書込み時間とサンプリングの書込み時間とが異なるため、消費電力を考慮した最適な書込み能力が異なっているという点が認識されていなかった。特に、プリチャージとサンプリングとで同じように書込みを行うと、プリチャージの際に電流が余分に流れてしまうので、プリチャージの際の電流供給能力を抑えることが好ましいという点が認識されていなかった。
【０１０８】
なお、上述の実施の形態においては、液晶を用いる液晶表示装置１について説明したが、本発明はこれに限るものではない。上述の駆動回路としてのソースドライバ４を、例えば有機ＥＬ(Electro Luminescence)，プラズマディスプレイを用いた表示装置に適用することもできる。
【０１０９】
また、上述の実施の形態においては、駆動方式としてライン反転駆動方式を用いる構成について説明したが、これに限るものではない。例えば、ドット反転駆動方式を用いるものであってもよく、またその他の駆動方式であってもよいことはもちろんである。
【０１１０】
また、上述の実施の形態においては、点順次駆動方式として、ＲＧＢ(Red,Green,Blue)の三ラインごとの点順次駆動方式を用いる構成について説明したが、これに限るものではない。例えば、点順次駆動方式は、一ラインごとであってもよいし、または、二つのＲＧＢからなる六ライン(Rn,Gn,Bn,Rn+1,Gn+1,Bn+1)ごとであってもよい。
【０１１１】
また、上述の実施の形態において、一括プリチャージの際に予備充電する値については特に限定されない。
【０１１２】
また、上述の実施の形態においては、スイッチによる駆動能力を調整するために、チャネル幅Ｗを調整する構成について説明したが、本発明はこれに限るものではない。例えばチャネル長Ｌを用いて駆動能力を調整してもよい。この場合、チャネル長Ｌが短いと、抵抗が小さくなるので電流が大きくなり、駆動能力も大きくなる。また、半導体素子に用いる材料を変更して駆動能力を調整することも可能である。
【０１１３】
また、上述の実施の形態においては、供給制御回路Ｃにおいて、スイッチ以外の半導体素子のチャネル幅をスイッチのトランジスタのチャネル幅に比例させた構成について説明したが、本発明はこれに限るものではない。例えばチャネル幅でなくチャネル長を調整してもよいことはもちろんである。ただし、スイッチ以外の半導体素子のチャネル幅を、従来の供給制御回路における、対応する半導体素子のチャネル幅と同じとすると、電流が減少せず、電流供給能力が全体として所望のものよりも大きくなってしまうため、上述のようにスイッチの大きさに対応し最適化させるのが好ましい。
【０１１４】
また、上述の実施の形態においては、図５を参照して供給制御回路Ｃの入出力特性を説明したが、本発明はこれに限るものではない。例えば、シフトレジスタＳＲは、図５のような波形が得られるならば、フリップフロップ型であってもよいし、セットリセット型であってもよい。また、図５に示す各信号の波形は単なる一例であり、本発明の範囲内で変更が可能である。
【０１１５】
また、上述の実施の形態においては、供給制御回路Ｃを含んでおり、表示部２の一つの辺側に配置されたソースドライバ４について説明した。ここで、従来の表示装置の駆動回路として、表示部の一辺側にソースドライバを備え、反対の辺側にプリチャージのための供給制御回路を備えた駆動回路がある。本願によるソースドライバ４の構成は、この従来のソースドライバよりも回路規模を小さくできる。すなわち、単に従来の構成にプリチャージ用の構成を加えると、回路規模が大きくなってしまう。
【０１１６】
また、上述の実施の形態の供給制御回路Ｃは、上述のように、機能ごとに、プリチャージ回路部１１とサンプリング回路部１２との二つに分けた構成である。この供給制御回路Ｃの各回路部１１・１２の半導体素子のチャネル幅の和は、所望の電流供給能力をもつ、対応する従来の供給制御回路と同じチャネル幅であるので、回路規模はそれほど増加せず、配線分のみ増加するだけである。
【０１１７】
また、上述の実施の形態においては、一括プリチャージ方式を用いるソースドライバについて説明した。ここで、上述の特開２０００−２０６４９１号公報に記載の構成は、一括プリチャージ方式を用いるものではないため、本願とは構成が異なる。また、この特開２０００−２０６４９１号公報の構成では、コストアップしてしまう。
【０１１８】
また、上述の表示装置の駆動回路を、画素部のデータ線に対応して各々に配置され、プリチャージ制御のタイミング信号と、サンプリング制御のタイミング信号とビデオラインを有する、ソースバスライン書込み制御回路である、と表現することもできる。また、上述の表示装置の駆動回路を、上記駆動回路にて、プリチャージ制御用及びサンプリング制御用のスイッチを各々有しており、プリチャージ時とサンプリング時とを区別して、ソースバスラインにビデオラインのデータを供給している駆動回路である、と表現することもできる。
【０１１９】
〔実施の形態２〕
本発明の他の実施の形態について図７から図１０に基づいて説明すれば、以下の通りである。なお、説明の便宜上、前記実施の形態１にて示した各部と同一の機能を有する部分には、同一の符号を付記し、その説明を省略する。
【０１２０】
本実施形態の液晶表示装置は、実施の形態１とは異なり、プリチャージ回路部のみを用いて画面の一部で特定の表示を行うことができる構成になっている。すなわち、本実施形態の液晶表示装置の表示は、通常表示モードと、画面の一部で特定の表示を行い、画面の残りで通常の映像表示を行う表示モードとの間で切り替え可能となっている。なお、上記の特定の表示とは、１水平ライン上の各画素の表示データが同一あるいはＲＧＢ毎やソースバスライン駆動回路に供給される映像信号毎で表示データが同一となるような表示である。
【０１２１】
本実施形態の駆動回路は、実施の形態１とは異なり、画面の一部で特定の表示を行う場合、プリチャージ回路部のみを用いてソースバスラインへの充電を行う。これにより、更なる低消費電力化が可能となる。
【０１２２】
上記の表示モードの例として、ワイド表示モードやパーシャル表示モードなどが挙げられる。
【０１２３】
図７に示すように、ワイド表示モードとは、縦横比（アスペクト比）４：３の表示部２を使用して縦横比１６：９の表示を行うために、表示部２の画面２Ａの上端および下端の領域（黒表示領域２Ｃ；黒マスク領域）の全体で黒の表示を行い、画面２Ａの残りの領域（ワイド表示領域２Ｂ）で１６：９の映像表示を行うモードである。黒表示領域２Ｃは、表示部２の画面２Ａの２ブロックである。
【０１２４】
また、図８に示すように、パーシャル表示モードとは、表示部２の画面２Ａの一部の領域（パーシャル表示領域２Ｄ）のみに映像を表示し、画面２Ａの残りの領域を非表示領域２Ｅ（白表示領域または黒表示領域）とすることにより、低消費電力化を図る表示モードである。非表示領域２Ｅは、表示部２の画面２Ａの２ブロックである。
【０１２５】
パーシャル表示モード時の非表示領域では、通常、画素トランジスタがＯＮ状態である期間（選択期間）に、ノーマリ側の表示（例えばノーマリホワイトモードの表示部においては白表示、ノーマリブラックモードの表示部においては黒表示）のための電圧をソースバスラインに供給することで、その電圧を画素に書き込む。例えばノーマリホワイトモードの場合、非表示領域において、画素に白表示のための電位を書き込む。非表示領域に定期的に書き込み動作を行う理由は、画素トランジスタがＯＦＦである状態が長くつづくと、トランジスタのＯＦＦリークにより、ソースバスラインの電位と画素のドレイン側とがリークし、その結果として、液晶に印加される電位が徐々に変化してしまうためである。またノーマリ側の表示電圧を印加する理由は、一般的に消費電力面で有利であるためである。
【０１２６】
図８では、パーシャル表示時の非表示領域２Ｅを画面２Ａの上下両端部としているが、必ずしも画面の上下両端部に限られるものではなく、表示部２の画面２Ａの１ブロック、例えば、上端部、下端部、中央部などであってもよく、表示部２の画面２Ａの３ブロック以上であってもよい。また、図８では非表示領域２Ｅを白表示状態または黒表示状態としているが、非表示領域２Ｅを別の表示状態、例えば青色表示状態、赤色表示状態、緑色表示状態、青色補色表示状態、赤色補色表示状態、緑色補色表示状態、（無彩色または有彩色の）中間調表示状態等としてもよい。
【０１２７】
次に、本実施形態に係る表示装置および駆動回路の構成について説明する。以下では、上記の表示モードとして、ワイド表示モードまたはパーシャル表示モードを採用した場合について説明する。また、ここでは、パーシャル表示モードにおける非表示領域が白表示領域である場合について説明する。
【０１２８】
本実施形態に係る表示装置および駆動回路は、実施の形態１におけるコントローラ５に代えて、通常表示モードの動作に加えてワイド表示モードまたはパーシャル表示モードの動作が可能なコントローラを備え、実施の形態１における液晶表示装置１および駆動回路（ソースドライバ４およびコントローラ５）と同一の構成を備えている。
【０１２９】
本実施形態で用いるコントローラは、通常表示モードでは、実施の形態１におけるコントローラ５と同様の動作を行う。すなわち、上記コントローラは、通常表示モードでは、水平帰線期間にハイとなり他の期間にローとなるプリチャージ制御信号Ｐを出力する。また、上記コントローラは、通常表示モードでは、映像表示のための通常のビデオ信号Ｖｄを出力する。
【０１３０】
一方、上記コントローラは、ワイド表示モードでは、ワイド表示領域２Ｂに対応する水平帰線期間および黒表示期間（黒表示領域２Ｃに対応する水平期間）にハイとなり他の期間にローとなるプリチャージ制御信号Ｐを出力する。また、上記コントローラは、ワイド表示モードでは、黒表示領域２Ｃに対応する水平期間には常に黒表示のためのビデオ信号Ｖｄを出力し、ワイド表示領域２Ｂに対応する水平期間には映像表示のための通常のビデオ信号Ｖｄを出力する。
【０１３１】
また、上記コントローラは、パーシャル表示モードでは、パーシャル表示領域２Ｄに対応する水平帰線期間および非表示期間（非表示領域２Ｅに対応する水平期間）にハイとなり他の期間にローとなるプリチャージ制御信号Ｐを出力する。また、上記コントローラは、パーシャル表示モードでは、非表示領域２Ｅに対応する水平期間には常にノーマリ側の表示のためのビデオ信号Ｖｄ（白表示のためのビデオ信号Ｖｄ）を出力し、パーシャル表示領域２Ｄに対応する水平期間には映像表示のための通常のビデオ信号Ｖｄを出力する。
【０１３２】
本実施形態における供給制御回路Ｃは、基本的には実施の形態１における供給制御回路Ｃと同様の構成であるが、ワイド表示モードの黒表示領域（２Ｃ）の画素書き込み時またはパーシャル表示モードの非表示領域（２Ｅ）の画素書き込み時にインバータＥ７の入力信号が常にローに保たれる構成となっている。
【０１３３】
ワイド表示時のタイミングチャートの例を図９に示す。有効表示期間とは、ワイド表示領域２Ｂに対応する映像信号を該当の領域へ書き込むための期間である。また、ゲートシフトレジスタスタートパルスとは、コントローラからゲートドライバ３内のシフトレジスタ（図示しない）に供給されるスタートパルスである。映像の表示（各ゲートバスラインＧｂの選択）は、ゲートシフトレジスタスタートパルスの立ち上がりに同期して開始される。ゲートシフトレジスタクロックとは、コントローラからゲートドライバ３内のシフトレジスタ（図示しない）に供給されるクロック信号である。各ゲートバスラインＧｂが選択されるタイミングは、このゲートシフトレジスタクロックによって制御される。
【０１３４】
ワイド表示モードでは、図９に示すように、ワイド表示領域２Ｂにおいてプリチャージ制御信号Ｐが通常駆動のように、水平帰線期間の一部にハイとなる。そのため、各供給制御回路Ｃにおいて、プリチャージ回路部１１側のスイッチＥ６がオンになり、プリチャージが行われる。一方、黒表示領域２Ｃに対応する水平期間において、シフトレジスタＳＲの出力信号が常にローであるので、サンプリング回路部１２側のスイッチＥ１２はオフのままである。このように、サンプリング回路部１２側のスイッチＥ１２をオフとしているので、サンプリング回路部１２側に電流を流すことがない。したがって、プリチャージの際の消費電力を低減できる。
【０１３５】
なお、プリチャージ制御信号の通常駆動とは、水平帰線期間中もしくは期間中の一部に、プリチャージ制御信号がハイとなり、その期間だけプリチャージを行うことである。
【０１３６】
また、ワイド表示モードでは、黒表示領域２Ｃに対応する水平期間において、プリチャージ制御信号Ｐがハイとなる。そのため、各供給制御回路Ｃにおいて、プリチャージ回路部１１側のスイッチＥ６がオンになり、黒表示領域２Ｃへの書き込みが行われる。一方、黒表示領域２Ｃに対応する水平期間において、インバータＥ７の入力信号が常にローであるので、サンプリング回路部１２側のスイッチＥ１２はオフのままである。したがって、黒表示領域２Ｃへの書き込みにプリチャージ回路部１１のみを使用するため、消費電力を低減できる。また、黒表示領域２Ｃへの書き込みの時間は、１水平期間にわたるため、サンプリング期間と比較して長くなる。したがって、サンプリング回路部１２を用いてソースバスラインＳｂへ通常の書き込みを行う（サンプリング回路部１２のスイッチＥ１２をオン状態とすると共にプリチャージ回路部１１のスイッチＥ６をオン状態としてソースバスラインＳｂへ黒表示のビデオ信号Ｖｄを出力する）場合と比較して、黒表示領域２Ｃへの書き込みの時間を長くすることができる。そのため、プリチャージと同様に、プリチャージ回路部１１のスイッチＥ６からの出力信号のみで、十分にソースバスラインＳｂに充電を行うことができる。
【０１３７】
パーシャル表示時のタイミングチャートの例を図１０に示す。図１０において、「＊」は、任意の信号でよいことを示す。
【０１３８】
パーシャル表示モードでは、図１０に示すように、パーシャル表示領域２Ｄにおいて、プリチャージ制御信号Ｐが通常駆動のように水平帰線期間の一部でハイとなる。そのため、各供給制御回路Ｃにおいて、プリチャージ回路部１１側のスイッチＥ６がオンになり、プリチャージが行われる。一方、非表示領域２Ｅに対応する水平期間において、シフトレジスタＳＲの出力信号が常にローであるので、サンプリング回路部１２側のスイッチＥ１２はオフのままである。このように、サンプリング回路部１２側のスイッチＥ１２をオフとしているので、サンプリング回路部１２側に電流を流すことがない。したがって、プリチャージの際の消費電力を低減できる。
【０１３９】
また、パーシャル表示モードでは、非表示領域２Ｅに対応する水平期間において、プリチャージ制御信号Ｐがハイとなる。そのため、各供給制御回路Ｃにおいて、プリチャージ回路部１１側のスイッチＥ６がオンになり、非表示領域２Ｅへの書き込みが行われる。一方、非表示領域２Ｅに対応する水平期間において、インバータＥ７の入力信号が常にローであるので、サンプリング回路部１２側のスイッチＥ１２はオフのままである。したがって、非表示領域２Ｅへの書き込みにプリチャージ回路部１１のみを使用するため、消費電力を低減できる。また、非表示領域２Ｅへの書き込みの時間は、１水平期間にわたるため、サンプリング期間と比較して長くなる。したがって、サンプリング回路部１２を用いてソースバスラインＳｂへ通常の書き込みを行う（サンプリング回路部１２のスイッチＥ１２をオン状態とすると共にプリチャージ回路部１１のスイッチＥ６をＯＮ状態としてソースバスラインＳｂへ黒表示のビデオ信号Ｖｄを出力する）場合と比較して、非表示領域２Ｅへの書き込みの時間を長くすることができる。そのため、プリチャージと同様に、プリチャージ回路部１１のスイッチＥ６からの出力信号のみで、十分にソースバスラインＳｂに充電を行うことができる。
【０１４０】
以上の説明では、表示部２の画面２Ａの一部に白表示又は黒表示を表示する場合に、供給制御回路Ｃのプリチャージ回路部１１のみを用いてソースバスラインＳｂへの書き込みを行う構成としていた。しかしながら、供給されるビデオ信号毎で１水平ライン上の画素に対応する表示データが同一であれば同様な駆動が可能であり、該当領域に白表示、黒表示以外の表示が可能となる。例えば、ＲＧＢのビデオ信号がソースドライバ４に供給される場合、該当領域に、赤単色、青単色、緑単色、赤補色、青補色、緑補色のいずれか表示を行うことができる。また、それぞれの中間調表示を行うことが可能となる。
【０１４１】
〔実施の形態３〕
上述の各実施形態の駆動回路においては、プリチャージ回路部が、１個のスイッチＥ６でソースバスラインＳｂに充電する構成のプリチャージ回路となっていた。しかしながら、プリチャージ回路部は、複数のプリチャージ回路を並列に接続した構成であってもよい。プリチャージ回路部が複数のプリチャージ回路を並列に接続した構成である場合、さらに、複数種類のプリチャージ制御信号が上記複数のプリチャージ回路に入力され、上記複数のプリチャージ回路のソースバスラインへの電流供給能力が、入力されたプリチャージ制御信号に応じてソースバスラインへの電流供給能力が変化する構成としてもよい。
【０１４２】
本発明の他の実施形態として、このような構成の駆動回路の例を図１１から図１３に基づいて説明する。なお、説明の便宜上、前記実施の形態１または２にて示した各部と同一の機能を有する部分には、同一の符号を付記し、その説明を省略する。
【０１４３】
本実施形態に係る表示装置および駆動回路は、実施の形態１における供給制御回路Ｃに代えて供給制御回路Ｃ’を備え、コントローラ５に代えてコントローラ５の持つ機能に加えてプリチャージ制御信号Ｐ２を出力する機能を持つコントローラ（図示しない）を備える以外は、実施の形態１における液晶表示装置１および駆動回路（ソースドライバ４およびコントローラ５）と同一の構成を備えている。
【０１４４】
図１１に示すように、この例の供給制御回路Ｃ’は、スイッチＥ６及びそれを制御する回路（ＮＯＲゲートＥ１およびインバータＥ２〜Ｅ５）からなるプリチャージ回路部１１を備える供給制御回路Ｃに対し、スイッチ及びそれを制御する回路からなるもう１つのプリチャージ回路部２１を追加して、これら２つのプリチャージ回路部１１・２１を並列に接続したものである。
【０１４５】
この供給制御回路Ｃ’では、プリチャージ期間の長さに応じて、プリチャージ期間にプリチャージを行うプリチャージ回路部の数、すなわちソースバスラインＳｂに電流を供給するスイッチの個数を変えることで、プリチャージ回路部の駆動能力、すなわちプリチャージ時にプリチャージ回路部からソースバスラインＳｂに供給される電流（供給能力）を変えることができるようになっている。
【０１４６】
供給制御回路Ｃ’は、図１の供給制御回路Ｃに入力されるプリチャージ制御信号Ｐに加えて、プリチャージ制御信号Ｐ２が入力される構成である。また、供給制御回路Ｃ’のプリチャージ回路部は、２つのプリチャージ回路部１１・２１に分割されている。
【０１４７】
プリチャージ回路部２１は、ＮＯＲゲートＥ１３、インバータＥ１４〜Ｅ１７およびスイッチＥ１８を含んでいる。また、プリチャージ回路部２１は、プリチャージ制御信号Ｐ・Ｐ２とサンプリング制御信号Ｓｐとを入力として、ＮＯＲゲートＥ１３およびインバータＥ１４〜Ｅ１７を介してスイッチＥ１８をオンオフする。プリチャージ回路部２１は、サンプリング制御信号Ｓｐ、プリチャージ制御信号Ｐ、およびプリチャージ制御信号Ｐ２のいずれかがハイのときにスイッチＥ１８がオンして、ビデオ信号Ｖｄが出力としてソースバスラインＳｂに供給される。
【０１４８】
ＮＯＲゲートＥ１３及びインバータＥ１４〜Ｅ１７はスイッチＥ１８のバッファ回路として機能する。
【０１４９】
プリチャージ制御信号Ｐによって、スイッチＥ６、Ｅ１８がオンオフする。供給制御回路Ｃ’にはビデオ信号Ｖｄが入力され、スイッチＥ６およびＥ１８によって、ソースバスラインＳｂへのビデオ信号Ｖｄの供給のオンオフが切り換わる。したがって、プリチャージ制御信号Ｐに応じて２つのプリチャージ回路部１１・２１からソースバスラインＳｂへのビデオ信号Ｖｄの供給がオンオフする。より詳細には、プリチャージ制御信号Ｐがアクティブ（ハイ）であるときには、ソースバスラインＳｂへのビデオ信号Ｖｄの供給がプリチャージ回路部１１、２１から行われる。
【０１５０】
また、プリチャージ制御信号Ｐ２によって１つのスイッチＥ１８がオンオフする。したがって、プリチャージ回路部２１からソースバスラインＳｂへのビデオ信号Ｖｄの供給は、プリチャージ制御信号Ｐ２に応じてオンオフする。より詳細には、プリチャージ制御信号Ｐ２がアクティブ（ハイ）であるときには、ソースバスラインＳｂへのビデオ信号Ｖｄの供給がプリチャージ回路部２１から行われる。このときのプリチャージ回路部（プリチャージ回路部１１・２１）のソースバスラインへの電流供給能力は、プリチャージ制御信号Ｐがアクティブ（ハイ）であるときよりも小さくなる。
【０１５１】
そして、本実施形態の駆動回路のコントローラでは、プリチャージ期間においてプリチャージ制御信号Ｐまたはプリチャージ制御信号Ｐ２をアクティブ（ハイ）にする。これにより、プリチャージ期間に行うプリチャージとして、プリチャージ回路部１１・２１を用いて比較的大きい電流を供給するプリチャージと、プリチャージ回路部２１を用いて比較的小さい電流を供給するプリチャージとを使い分けることが可能となる。
【０１５２】
表示部２に対応する駆動の仕様や表示装置を搭載するシステムの仕様に応じて、決定される水平帰線期間のうちプリチャージ期間として使用可能な期間の長さに応じて、プリチャージ制御信号Ｐ及びプリチャージ制御信号Ｐ２のどちらかを使用するかを選択し、プリチャージ期間にプリチャージを行うためのソースバスラインへの電流供給能力を選択する。プリチャージ期間が長い場合には、プリチャージ制御信号Ｐ２を使用して、プリチャージ期間にプリチャージを行うことにより、更に低消費電力化を図ることが可能となる。この実施形態の利点は、ユーザの仕様に応じて設計変更なく駆動を変更でき、消費電力を最小限に抑えることができる点である。
【０１５３】
各素子Ｅ１〜Ｅ１８はトランジスタで構成することができる。各素子Ｅ１〜Ｅ１８を構成するトランジスタ（Ｅ１〜Ｅ１８）のチャネル幅Ｗは、例えば、Ｅ１は５μｍ、Ｅ２は５μｍ、Ｅ３は５μｍ、Ｅ４は１０μｍ、Ｅ５は１０μｍ、Ｅ６は２５μｍ、Ｅ７は２０μｍ、Ｅ８は４０μｍ、Ｅ９は４０μｍ、Ｅ１０は８０μｍ、Ｅ１１は８０μｍ、Ｅ１２は２００μｍ、Ｅ１３は５μｍ、Ｅ１４は５μｍ、Ｅ１５は５μｍ、Ｅ１６は１０μｍ、Ｅ１７は１０μｍ、Ｅ１８は２５μｍと設定することができる。以下、このように設定した構成を、以下では図１１の回路例と称する。
【０１５４】
上記の設定例は、図１の供給制御回路Ｃにおいて、半導体素子Ｅ１〜Ｅ１２のチャネル幅Ｗを、Ｅ１は５μｍ、Ｅ２は１０μｍ、Ｅ３は１０μｍ、Ｅ４は２０μｍ、Ｅ５は２０μｍ、Ｅ６は５０μｍ、Ｅ７は２０μｍ、Ｅ８は４０μｍ、Ｅ９は４０μｍ、Ｅ１０は８０μｍ、Ｅ１１は８０μｍ、Ｅ１２は２００μｍと設定した構成（以下、図１の回路例と称する）と比較して、トータルのトランジスタサイズが大きく異ならない。そのため、プリチャージ制御信号Ｐにてプリチャージ動作を実施し、サンプリング制御信号Ｓｐにてサンプリング動作を行うことによる消費電流は、図１の供給制御回路Ｃとほとんど変わらない。しかしながらプリチャージ制御信号Ｐ２にてプリチャージ動作を実施し、サンプリング制御信号Ｓｐにてサンプリング動作を行うことにより消費電流は図１の供給制御回路Ｃより削減可能となる。
【０１５５】
図１２及び図１３に回路動作を説明するためのタイミングチャートを示す。
【０１５６】
図１２及び図１３に示すように、プリチャージ制御信号ＰおよびＰ２は、プリチャージ期間に、何れか一方が選択的に、プリチャージ回路部１１・２１にビデオ信号Ｖｄの供給を行わせるアクティブ電位となる。
【０１５７】
図１の回路例に比較して、表示部２に対応した駆動条件、例えば駆動のタイミング等の関係で、サンプリング期間以外のプリチャージ時間が比較的長くとれる場合には、図１２に示すように、比較的長い時間アクティブ電位となるプリチャージ制御信号Ｐ２によりプリチャージを行う。図１１に示す供給制御回路Ｃ’では、プリチャージ期間に、プリチャージ制御信号Ｐ２がハイ（アクティブ電位）になると、スイッチＥ６及びＥ１２は導通せずに、スイッチＥ１８のみが導通して、ソースバスラインＳｂに書き込み（ビデオ信号Ｖｄの供給）を行う。
【０１５８】
また、プリチャージ時間を図１の回路例と同一にした場合には、図１３のタイミングチャートで示すように、比較的短い時間アクティブ電位となるプリチャージ制御信号Ｐにより、プリチャージを行う。プリチャージ期間に、プリチャージ制御信号Ｐがハイ（アクティブ電位）になると、スイッチＥ１２は導通せずに、スイッチＥ６及びＥ１８が導通して、ソースバスラインＳｂに書き込み（プリチャージ；ビデオ信号Ｖｄの供給）を行う。
【０１５９】
このように、プリチャージ期間に開くスイッチの数をプリチャージ時間に応じて変えることで、プリチャージ回路部の電流供給能力を調節することができる。その結果、プリチャージ期間にプリチャージ回路部に流れる電流を削減して、消費電力を抑えることができる。
【０１６０】
なお、上記の図１１の回路例は、図１の回路例をもとにした一例にすぎず、回路構成やトランジスタサイズ等は適宜変更可能である。
【０１６１】
また、上述の実施形態は、プリチャージ制御回路部においてソースバスラインに充電する制御を行うスイッチ及びそれを制御する回路を二個並列に接続した例であるが、これに限るものではない。例えば、プリチャージ制御回路部においてソースバスラインに充電する制御を行うスイッチ及びそれを制御する回路を３個以上（３、４、５、・・・）並列に接続してもよい。
【０１６２】
本発明は、以下のように表現することもできる。
【０１６３】
（Ａ）表示装置の画素に接続されるソースバスラインへ電圧を供給する供給制御回路を、上記ソースバスラインごとに備えた表示装置の駆動回路において、上記供給制御回路が、上記画素のデータを上記ソースバスラインへ書込むためのサンプリング制御信号に応じて上記ソースバスラインへ電圧を供給するサンプリング回路部と、上記サンプリング制御信号に応じて上記ソースバスラインへ電圧を供給し、かつ上記ソースバスラインを予備充電するためのプリチャージ制御信号に応じて上記ソースバスラインへ電圧を供給するプリチャージ回路部とを備え、上記プリチャージ回路部にて、上記プリチャージ回路が複数並列に接続され、プリチャージ能力を調節するためのプリチャージ制御信号を有し、該制御信号に応じてプリチャージ能力を調整する表示装置の駆動回路。
【０１６４】
上記（Ａ）の構成では、上記プリチャージ回路を各ソースバスライン毎に複数設ける構成として、パネルの駆動条件に応じてプリチャージ回路能力を調整する事により、更なる低消費電力化を図ることが可能となる。
【０１６５】
（Ｂ）上記（Ａ）の表示装置の駆動回路を備えている表示装置。
【０１６６】
（Ｃ）表示装置の画素に接続されるソースバスラインへ電圧を供給する供給制御回路を、上記ソースバスラインごとに備えた表示装置の駆動回路において、上記供給制御回路が、上記画素のデータを上記ソースバスラインへ書込むためのサンプリング制御信号に応じて上記ソースバスラインへ電圧を供給するサンプリング回路部と、上記サンプリング制御信号に応じて上記ソースバスラインへ電圧を供給し、かつ上記ソースバスラインを予備充電するためのプリチャージ制御信号に応じて上記ソースバスラインへ電圧を供給するプリチャージ回路部とを備え、表示装置の一水平ライン上の表示データが同一あるいはＲＧＢ単位毎で同一である場合、または、供給される映像信号（ビデオ信号）毎で同一である場合上記プリチャージ回路のみを用いて、表示装置の表示を行う表示装置の駆動回路。
【０１６７】
上記（Ｃ）の構成では、一水平ライン上の表示データが同一あるいはＲＧＢ単位毎で同一であるため、サンプリング回路部を使用してソースバスラインへデータの書き込みを行わなくても、上記プリチャージ回路部のみを使用して、一括してデータを書き込むことにより、サンプリング回路部での消費電力を削減でき、更なる低消費電力化を図ることが可能となる。
【０１６８】
（Ｄ）上記（Ｃ）の表示装置の駆動回路において、上記プリチャージ回路部のみを用いて表示する領域が画面の１ブロックあるいは複数のブロックである表示装置の駆動回路。
【０１６９】
さらにプリチャージ回路部のみを用いて表示する領域が画面の1プロックあるいは複数のブロックであることにより、更なる低消費電力化が可能となる。なお、例えば本駆動をパーシャル駆動の非表示領域への適用や、４：３パネルを使用し、１６：９の表示を行う場合の上下黒マスク領域への適用が可能となる。
【０１７０】
（Ｅ）上記（Ｃ）または（Ｄ）の表示装置の駆動回路において、上記表示データが黒表示データあるいは白表示である表示装置の駆動回路。
【０１７１】
（Ｆ）上記（Ｃ）または（Ｄ）の表示装置の駆動回路において、上記表示データが赤単色又は青単色又は緑単色、それぞれの補色表示である表示装置の駆動回路。
【０１７２】
（Ｇ）上記（Ｅ）または（Ｆ）の表示装置の駆動回路において、上記表示データが中間表示である表示装置の駆動回路。
【０１７３】
上記（Ｅ）〜（Ｇ）の構成では、上記プリチャージ回路部のみを用いて表示する領域が、黒、白、赤、緑、青、各単色、各補色、中間調であってもよい。一括プリチャージ回路部のみで書き込み可能な表示であれば、特に限定なく使用可能であり、上記消費電力削減を行うことが可能となる。
【０１７４】
（Ｈ）上記（Ｄ）〜（Ｇ）のいずれかの表示装置の駆動回路を備えている表示装置。
【０１７５】
本発明は上述した実施の形態に限定されるものではなく、請求項に示した範囲で種々の変更が可能であり、実施の形態にそれぞれ開示された技術的手段を適宜組み合わせて得られる実施の形態についても、本発明の技術的範囲に含まれる。
【０１７６】
上述の具体的な実施形態または実施例は、あくまでも、本発明の技術内容を明らかにするものであって、本発明はそのような具体例にのみ限定して狭義に解釈されるべきものではなく、特許請求の範囲に示した範囲で種々の変更が可能であり、変更した形態も本発明の技術的範囲に含まれる。
【産業上の利用可能性】
【０１７７】
本発明に係る表示装置の駆動回路は、消費電力を低減できるので、例えば携帯型の表示装置の駆動回路に適用できる。
【図面の簡単な説明】
【０１７８】
【図１】本発明に係る表示装置の駆動回路の一例の一部を示す論理回路図である。
【図２】本発明に係る表示装置の一例を示すブロック図である。
【図３】上記駆動回路の他の一部を示すブロック図である。
【図４】上記駆動回路に含まれる半導体素子の一例の一部を示す平面図である。
【図５】上記駆動回路の入出力特性を示すタイミングチャートである。
【図６】従来の表示装置の駆動回路の一例の一部を示す論理回路図である。
【図７】ワイド表示モードで表示を行っているときの表示部を示す平面図である。
【図８】パーシャル表示モードで表示を行っているときの表示部を示す平面図である。
【図９】本発明の実施の形態に係る表示装置において、ワイド表示モードで動作しているときにゲートドライバおよびソースドライバに入力される信号を示す波形図である。
【図１０】本発明の実施の形態に係る表示装置において、パーシャル表示モードで動作しているときにゲートドライバおよびソースドライバに入力される信号を示す波形図である。
【図１１】本発明のさらに他の実施の形態に係る表示装置の駆動回路の一部を示す回路図である。
【図１２】本発明のさらに他の実施の形態に係る表示装置の駆動回路において、プリチャージ期間を比較的長く設定した場合にソースドライバに入力される信号を示す波形図である。
【図１３】本発明のさらに他の実施の形態に係る表示装置の駆動回路において、プリチャージ期間を比較的短く設定した場合にソースドライバに入力される信号を示す波形図である。
【符号の説明】
【０１７９】
１                                  液晶表示装置（表示装置）
２                                  表示部
３                                  ゲートドライバ
４                                  ソースドライバ
５                                  コントローラ
１１，２１                            プリチャージ回路部
１２                                  サンプリング回路部
Ｃ(CRn,CGn,CBn,CRn+1,CGn+1,CBn+1)   供給制御回路（スイッチ回路）
Ｃ’                                供給制御回路（スイッチ回路）
ＣＬＫ                              クロック
Ｅ１〜Ｅ５、Ｅ７〜Ｅ１１、Ｅ１３〜Ｅ１６    論理素子、半導体素子
Ｅ６，Ｅ１２，Ｅ１８                スイッチ
Ｇｂ                                ゲートバスライン
Ｐ                                  プリチャージ制御信号（制御信号）
Ｐ２                                プリチャージ制御信号（制御信号）
ＰＩＸ                              画素
Ｓｂ                                ソースバスライン
ＳＲ(SRn,SRn+1)                     シフトレジスタ
Ｓｐ                                サンプリング制御信号（制御信号）
Ｖｄ(VdR,VdG,VdB)                   ビデオ信号
【図１】
2005099740.tif 000003
【図２】
2005099740.tif 000004
【図３】
2005099740.tif 000005
【図４】
2005099740.tif 000006
【図５】
2005099740.tif 000007
【図６】
2005099740.tif 000008
【図７】
2005099740.tif 000009
【図８】
2005099740.tif 000010
【図９】
2005099740.tif 000011
【図１０】
2005099740.tif 000012
【図１１】
2005099740.tif 000013
【図１２】
2005099740.tif 000014
【図１３】
2005099740.tif 000015